(57)【要約】【課題】  双方向放送番組を受信する機能を有する携帯放送受信機において、使用者が円滑にメニュー項目の選択を行えるようにすること。【解決手段】  受信した双方向番組の複数の選択対象に関する情報を表示装置の画面上にメニュー形式で表示し、複数のボタンによって構成される入力手段により前記選択対象に関する応答の情報を入力する際に、前記選択対象に関するメニュー形式の情報のメニュー項目に対応して前記入力手段を構成するボタンを点灯させるように制御し、入力された前記応答の情報を所定の送信先に送信するように構成した。【選択図】  図１
2005341333.tif 000002
【特許請求の範囲】
【請求項１】
表示装置と、
双方向放送番組を受信する受信手段と、
受信した双方向放送番組を表示装置の画面上に再生する再生手段と、
受信した双方向放送番組の選択対象に関するメニュー形式の情報を記憶する記憶手段と、
受信した双方向番組の複数の選択対象に関する情報をメニュー形式で表示する表示手段と、
複数のボタンによって構成され前記選択対象に対する応答の情報を入力する入力手段と、
前記入力手段を構成する複数のボタンを個別に点灯する点灯手段と、
入力された前記応答の情報を所定の送信先に送信する送信手段とを有し、
前記選択対象に関するメニュー形式の情報のメニュー項目の数に対応して前記入力手段を構成するボタンが点灯することにより、携帯放送受信機の使用者が前記ボタンとメニュー項目の対応を容易に識別できるようにしたことを特徴とする携帯放送受信機。
【請求項２】
請求項１に記載の携帯放送受信機であって、前記入力手段を構成する複数のボタンを個別に点灯する場合に、それぞれのボタンを色分けして点灯させる点灯手段を備え、前記選択対象に関するメニュー形式の情報のメニュー項目に対応して前記入力手段を構成するボタンを色分けして点灯することにより、携帯放送受信機の使用者が前記ボタンとメニュー項目の対応を容易に識別できるようにしたことを特徴とする携帯放送受信機。
【請求項３】
請求項１または２のいずれかに記載の携帯放送受信機であって、前記入力手段を構成する複数のボタンを個別に点灯する場合に、受信した双方向放送番組の前記選択対象に関するメニュー形式の情報に含まれるメニューの表示を続ける時間が経過すると、前記入力手段を構成する複数のボタンを消灯することを特徴とする携帯放送受信端末。
【請求項４】
請求項１または２のいずれかに記載の携帯放送受信機であって、前記入力手段を構成する複数のボタンを個別に点灯する場合に、前記ボタンが点滅するように点灯し、受信した双方向放送番組の前記選択対象に関するメニュー形式の情報に含まれるメニューの表示を続ける時間に応じて、点滅する速度が変化することにより、携帯放送受信機の使用者がメニュー表示時間の経過の状態を把握できるようにしたことを特徴とする携帯放送受信端末。
【請求項５】
請求項１に記載の携帯放送受信機であって、前記入力手段を構成する複数のボタンを個別に点灯する場合に、前記ボタンのうち、前記選択対象に関するメニュー形式の情報のメニュー項目の数に対応して点灯するボタンと、点灯しないボタンとを配置するそれぞれの領域の境界に、光を遮断する仕切りを設けることによって、前記点灯しないボタンに前記点灯するボタンの光が差し込まないようにしたことを特徴とする携帯放送受信機。
【請求項６】
表示装置と、
双方向放送番組を受信する受信手段と、
受信した双方向放送番組を表示装置の画面上に再生する再生手段と、
受信した双方向放送番組の選択対象に関するメニュー形式の情報を記憶する記憶手段と、
受信した双方向番組の複数の選択対象に関する情報をメニュー形式で表示する表示手段と、
複数のボタンによって構成され前記選択対象に対する応答の情報を入力する入力手段と、
入力された前記応答の情報を所定の送信先に送信する送信手段とを有し、
前記選択対象に関するメニュー形式の情報のメニュー項目に対応して前記入力手段を構成するボタンの内でメニュー項目に対応しないボタンの入力を受付けないことにより、携帯放送受信機の使用者がメニュー項目に対応しないボタンを誤って押下することがないようにしたことを特徴とする携帯放送受信機。
【請求項７】
表示装置と、
双方向放送番組を受信する受信手段と、
受信した双方向放送番組を表示装置の画面上に再生する再生手段と、
受信した双方向放送番組の選択対象に関するメニュー形式の情報を記憶する記憶手段と、
受信した双方向番組の複数の選択対象に関する情報をメニュー形式で表示する表示手段と、
複数のボタンによって構成され文字や数字の入力や前記選択対象に対する応答の情報を入力する入力手段と、
前記入力手段を構成する複数のボタンを個別に点灯する点灯手段と、
入力された前記応答の情報を所定の送信先に送信する送信手段とを有し、
前記選択対象に関するメニュー形式の情報のメニュー項目に対応する前記入力手段を構成するボタンを色分けすることにより、携帯放送受信機の使用者が前記ボタンとメニュー項目の対応を容易に識別できるようにしたことを特徴とする携帯放送受信機。
【請求項８】
双方向放送番組を受信し、受信した双方向放送番組を表示装置の画面上に再生する携帯放送受信機の操作方法であって、
受信した双方向放送番組の選択対象に関するメニュー形式の情報を記憶するステップと、
受信した双方向番組の複数の選択対象に関する情報を前記表示装置の画面上にメニュー形式で表示するステップと、
複数のボタンによって構成される入力手段により前記選択対象に対する応答の情報を入力するステップと、
前記複数のボタンを個別に点灯するステップと、
入力された前記応答の情報を所定の送信先に送信するステップとを有し、
前記選択対象に関するメニュー形式の情報のメニュー項目に対応して前記入力手段を構成するボタンを点灯させるように制御することを特徴とする携帯放送受信機の操作方法。
【発明の詳細な説明】
【技術分野】
【０００１】
本発明は、使用者がメニュー選択を行うことができる双方向放送番組を受信する機能を有する携帯放送受信機において、特に使用者が選択可能なメニュー項目を携帯放送受信機のディスプレイに表示するように構成した携帯放送受信機およびその操作方法に関わる。
【背景技術】
【０００２】
従来の携帯放送受信機では、使用者が選択可能なメニュー項目を携帯放送受信機のディスプレイに表示し、使用者による前期項目の選択は、シーソー型、ないしは、機械的に独立した一対の操作ボタンによるアップ・ダウンの操作と、「１」から「０」までの数字に対応した、いわゆるテンキーの操作とによりなされる。
また、放送受信機能を有する携帯電話における選択操作に関して特許文献１に開示されている。
【０００３】
【特許文献１】特開２００１−１８６５６８
【発明の開示】
【発明が解決しようとする課題】
【０００４】
しかし、従来の携帯放送受信機では、使用者がディスプレイに表示されたメニュー項目を選択する際に、前述したアップ・ダウンの操作により操作ボタンを数回押下する必要があるために、メニュー選択が面倒になり、いかにして使用者が希望するメニューを選択するまでの操作を円滑にするかという課題を生じる。
また、前述したテンキーの操作によりメニュー選択を行う際には、使用者がディスプレイに表示されたメニュー項目の番号とテンキーの番号とを照らし合わせる必要があるために、使用者が直感的にメニュー選択を行うことが難しくなり、いかにして使用者にメニュー項目とテンキーの番号との対応を直感的に認知させ、メニュー選択を円滑にするかという課題が生じる。
本発明は、上記の問題に鑑みなされたものであり、その目的は使用者がメニュー選択を行うことができる双方向放送番組を受信する機能を有する携帯放送受信機において、使用者が円滑にメニュー項目の選択を行えるようにすることである。
【課題を解決するための手段】
【０００５】
上記課題を解決するため本発明の携帯放送受信機およびその操作方法では、入力キーの内、選択可能なメニュー項目に対応する入力キーのみを入力可能し、且つ、前記項目に対応する入力キーのイルミネーションを点灯することにより、使用者が前記項目を選択する操作をより容易にしたものであり、そのために、使用者がメニュー選択を行うことができる双方向放送番組を受信する放送受信手段と、受信した双方向放送番組の映像及び音声を表示する出力手段と、受信した双方向放送番組の複数のメニュー選択の対象に関する情報をメニュー形式で表示する表示手段と、「１」から「０」までの数字に対応した、いわゆるテンキーにより構成され、前記メニュー選択の対象に対する応答の情報を入力する入力手段と、前記選択対象の数に対応して前記テンキーのそれぞれのキーを点灯するキー点灯手段と、前記テンキーにより入力された応答の情報を所定の返信先に送信する送信手段とを設けている。
【発明の効果】
【０００６】
本発明によれば、操作性のよい携帯放送受信機を提供することができる。
【発明を実施するための最良の形態】
【０００７】
以下、本発明の実施の形態について図面を用いて説明する。
【実施例１】
【０００８】
以下、本発明の実施例１について説明する。
図１は本発明の実施例１を説明する図であり、本発明の実施の形態に係る携帯放送受信機の全体構成例を示している。１０１は携帯放送受信機であり、後述する双方向放送番組を受信し再生する機能と、後述する通信部１０８を介してインターネットに接続し、データ通信を行う機能を有する。１０２はチューニング／復調部であり、図示せぬアンテナから受信した信号に基づき、使用者が選択したコンテンツのＴＳ（Ｔｒａｎｓｐｏｒｔ  Ｓｔｒｅａｍ）を復元する回路である。チューニング／復調部１０２により出力されるＴＳは多重化されているため、分離部１０３によりＴＳの分離処理が行われ、分離部１０３は前記分離処理によりテレビジョン放送関連のデータを後述するデコーダ部１０４に供給し、後述する番組関連情報のデータをメモリ部１０７に記憶する。デコーダ部１０４は、分離部１０３より供給されたデータに基づき、映像信号及び音声信号を生成する。また、デコーダ部１０４は生成した映像信号をディスプレイ１０５に出力し、これによりディスプレイ１０５に映像が再生される。また、デコーダ部１０４は音声信号を図示しない音声出力装置に出力し、音声出力装置より音声が再生される。ＣＰＵ１０６は、例えば、後述するキーイルミネーション部１１０の点灯の制御等、同図中に示す各部の制御を統合的に行う。メモリ１０７は、分離部１０３より供給されるデータ放送関連のデータを記憶する。１０８は通信部であり、ＣＰＵ１０６より通信を行う支持を受けることにより、インターネット１１１に接続してデータの送受信を行う。１０９は入力キーであり、「１」から「０」までの数字に対応した、いわゆるテンキーにより構成され、使用者が後述する双方向放送番組のメニュー選択対象２０１に対する応答の情報を入力する。１１０はキーイルミネーション部であり、ＣＰＵ１０６の指示によりデータ放送関連のデータに基づいて、入力キー１０９を発光させる機能を有する。
【０００９】
図２は携帯放送受信機１０１のディスプレイ１０５の表示画面と、前述した入力キー１０９のキーの配置の例を示している。メニュー選択対象２０１は、使用者が視聴中の双方向番組に対する応答として選択することができる項目であり、前述した分離部１０３により分離された番組関連情報のデータに基づきＣＰＵ１０６の指示によりディスプレイ１０５に表示される。
【００１０】
図３は本実施例による携帯放送受信機１０１の動作を説明するための流れ図である。
図４は携帯放送受信機１０１において、前述した入力キー１０９とメニュー選択対象２０１とを対応させる例を示している。４０１は色分けキーであり、入力キー１０９の一部のキーをメニュー選択対象２０１に対応するように、予め定めた色で色分けしたキーである。
【００１１】
以下、図１から図４を用いて本実施例の動作を説明する。本実施例は、使用者がモバイル環境で双方向放送番組を視聴する場合に、携帯放送受信機１０１を用いて双方向放送番組への使用者の応答を円滑にする。
本実施例においては、双方向番組は副放送情報として、データ多重放送形式の多重信号を使用する。すなわち、放送局側では、副放送情報として後述する番組関連情報をデータ多重信号形式に構成して、主放送テレビジョン信号に多重して放送する。番組関連情報は放送局側で作成される視聴中の番組に関する詳細な情報等であり、例えば、クイズ番組などでは、問題ごとの選択肢の情報や、前記選択肢の情報を表示するべきタイムスタンプや、情報の表示を続ける時間となる。また、番組関連情報には視聴者の番組に対する応答の返信先の情報も含まれ、例えば、返信先が放送局側の受信システムとされ、前記システムへの通信プロトコルと受信用のＵＲＬ等が返信先情報に含まれる。一方、受信側となる携帯放送受信機は、前述した分離部１０３の分離処理により番組関連情報を分離し、メモリ部１０７に記憶することにより、双方向放送番組の応答などに利用する。
【００１２】
使用者は携帯放送受信機１０１に対し、所定の双方向放送番組の視聴を開始する操作を行う。前記操作により、チューニング／復調部１０２は、図示せぬアンテナからの信号の受信を開始し、受信した信号に基づき、ＴＳを回復し分離部１０３に供給する。分離部１０３は、チューニング／復調部１０２が供給されると前述のようにＴＳの分離処理により、デコーダ部１０４にテレビジョン放送関連のデータを供給し、メモリ部１０７に番組関連情報を供給する。前述のようにデコーダ部１０４は映像信号をディスプレイ１０５に出力するが、このとき、ＣＰＵ１０６は、前述したテレビジョン放送関連のデータに含まれるタイムスタンプと、メモリ部１０７に記憶している番組関連情報に含まれるタイムスタンプとを同期させて番組関連情報をディスプレイ１０５に表示する。表示されるデータは、画像、文字列、動画などの表示に用いる、フォント、グラフィック、アニメーション、動画などのデータである。このとき、例えば、クイズ番組などでは、問題の選択肢がメニュー選択対象２０１のように表示される。
【００１３】
次に、図３を参照しながら、ユーザがメニュー選択対象２０１から希望するメニューを選択する際の動作の詳細について説明する。ＣＰＵ１０６は、テレビジョン放送関連のデータに含まれるタイムスタンプを監視することにより、番組関連情報をメニュー表示する時間であるかどうかを判断する（ステップ３０１）。メニュー表示をするタイムスタンプのテレビジョン放送関連のデータを受信すると、ＣＰＵ１０６はメニュー表示を行おうとするが、使用者が予め所定の操作により、メニュー表示を行わない設定にしているときには、メニュー選択対象２０１に示すようなディスプレイ１０５へのメニュー表示を行わない（ステップ３０２）。なお、前述のようにディスプレイ１０５へのメニュー表示を行わない場合は、一般的に放送を視聴するのと同様に、番組放送の中で映像や音声によって提供されるメニューの内容を知ることになる。次にＣＰＵ１０６は、キーイルミネーション部１１０に対し、「１」から「０」まである入力キー１０９の内、前記メニューに基づく視聴者が選択可能な番号に対応するキーのイルミネーションを点灯させる指示を出し（ステップ３０４）、キーイルミネーション部１１０は前記支持に対応するキーのイルミネーションを点灯する。この際、前記番組関連情報のメニュー項目に色の情報が負荷されている場合は、キーイルミネーション部１１０は前記色の情報に対応する色でキーのイルミネーションを点灯する。ＣＰＵ１０６は、前述した番組情報に含まれる情報の表示を続ける時間に基づき、イルミネーションの点灯を続ける（ステップ３０５）。
【００１４】
使用者は前記イルミネーションの点灯により、メニュー選択対象２０１に対応する入力キーがどれかを容易に認識することができるため、円滑に双方向放送番組へ応答することができる。ＣＰＵ１０６は、使用者が入力キーを押下すると、前記番組情報に基づくメニュー選択対象２０１に対応する入力キーや、番組視聴の停止等を指示する所定の入力キーなどが押下された際は入力を受付け、それ以外のキーが押下された場合は入力を受付けない（ステップ３０６）。
【００１５】
前記入力を受付けた場合は、前期入力がメニュー選択対象２０１に対応する入力か、番組視聴の停止等の入力かを判別する（ステップ３０７）。このとき、メニュー選択対象２０１に対応する入力であれば、前述した番組関連情報に含まれる返信先情報に基づき、通信部１０８を介して使用者が選択したメニュー項目に関する応答情報を送信する（ステップ３０９）。また、メニュー選択以外の入力であれば、ＣＰＵ１０６がそれに従う動作を行う（ステップ３０８）。上述のように、メニュー選択対象２０１に対応する入力を受付けた後は、ＣＰＵ１０６はディスプレイ１０５にメニュー表示を行っている場合は、メニュー表示を消去する（ステップ３１０）。
【００１６】
このように、メニュー選択対象２０１に対応する入力キーのイルミネーションが点灯することにより、使用者がメニュー選択対象２０１に対応する入力キーを認識することを容易にし、双方向放送番組への応答を円滑にすることができる。
【００１７】
なお、前述した携帯放送受信機１０１は、メニュー選択対象２０１に対応する入力キー１０９のイルミネーションを点灯せず、メニュー選択対象２０１に対応する入力キーを予め定めた色で色分けすることによっても、使用者がメニュー選択対象２０１に対応する入力キーを認識することを容易にすることが可能である。図４において、色分けキー４０１は入力キー１０９の一部であるが、色分けキー４０１はメニュー選択対象２０１のメニューを選択する際に、メニュー選択を行うキーとして利用され、メニュー選択対象２０１に対応するように予め定めた色で色分けされている。色分けキー４０１が色分けすることにより、使用者はメニュー選択対象２０１に対応するキーを容易に認識できるため、前述した入力キーのイルミネーションは点灯しない。これにより、イルミネーション点灯による消費電力の低減や、前記イルミネーションを点灯するために携帯放送受信機１０１に備える、例えばLEDのような光源が不要になることによる製品コストの低下が可能になる。
【実施例２】
【００１８】
次に本発明の実施例２について説明する。本実施例では、実施例１で述べた携帯放送受信機１０１において、前述したキーイルミネーション部１１０の光源の構成方法について説明する。以下、本実施例を図面に基づいて説明する。また、以下において、先の実施例と均等なものには同一の符号を付し、その説明は重複を避ける為に割愛する。
【００１９】
図５は、携帯放送受信機１０１の要部の構成を示す断面図であり、５０１は前述したキーイルミネーション部１１０の光源として配置したＬＥＤである。５０２は遮光板であり、発光させようとするキーに隣接するキーに差し込む前記ＬＥＤ５０１の光を遮るものである。
図６は、携帯放送受信機１０１の要部の構成を示す断面図であり、ＬＥＤ及び遮光板の配置が図５と異なる例を示している。６０１及び６０２は前述したキーイルミネーション部１１０の光源として配置したＬＥＤである。６０３は遮光板であり、前記ＬＥＤ６０１により発光させようとするキー以外のキーに差し込む光を遮るものである。
【００２０】
以下、図５と図６を用いて本実施例の構成を説明する。図５では、入力キー１０９のうち前述しメニュー選択対象２０１を選択しうるキーを予め定め、前記キーそれぞれにＬＥＤ５０１を配置している。ＬＥＤ５０１は第一実施例で述べた動作に従い、メニュー選択対象２０１の選択を行うキーに配置されたものが発光する。このとき、遮光板５０２により、それぞれのＬＥＤ５０１が発光させようとするキー以外のキーに差し込む光が遮られる。これにより、メニュー選択対象２０１に応じた数だけ入力キー１０９を発光させることが可能になり、使用者は入力キー１０９のうちどのキーが発光しているか、もしくは、どのキーがメニュー選択対象２０１に対応しているかをより明確に認識することができる。
【００２１】
図６は、ＬＥＤ及び遮光板の配置が図５と異なる配置のものであり、図５と比較してＬＥＤ及び遮光板の数が少ないことが特徴である。図６では、入力キー１０９のうち前述しメニュー選択対象２０１の選択を行うキーを予め定め、メニュー選択対象２０１の選択を行うキーと、メニュー選択対象２０１の選択を行わないキーとの境界に、遮光板６０３を配置している。これにより、第一実施例で述べたメニュー選択対象２０１の選択する際には、ＬＥＤ６０１が発光し、メニュー選択対象２０１の選択の対象になるキーのみが発光する。また、例えば文字、番号入力など、入力キー１０９の通常の入力操作の際は、ＬＥＤ６０１とＬＥＤ６０２の両方を発光させることにより、入力操作に必要なすべてのキーのイルミネーションを点灯できる。
【００２２】
図６の構成では、前述した使用者がメニュー選択対象２０１に対応するキーを認識できる機能を有し、且つ、前記機能を実現するために必要なＬＥＤを少なくすることにより、イルミネーション点灯による消費電力の低減や、前記イルミネーションを点灯するために携帯放送受信機１０１に備える、例えばLEDのような光源が不要になることによる製品コストの低下が可能になる。
【図面の簡単な説明】
【００２３】
【図１】本発明による携帯放送受信機の一実施例の構成を示すブロック図である。
【図２】図１の実施例の要部の構成を示す正面図である。
【図３】本発明による携帯放送受信機の一実施例の動作を説明するための流れ図である。
【図４】本発明による携帯放送受信機の一実施例の構成を示す正面図である。
【図５】図１の実施例の要部の構成を示す断面図である。
【図６】図１の実施例の要部の構成を示す断面図である。
【符号の説明】
【００２４】
１０１・・・携帯放送受信機
１０２・・・チューニング／復調部
１０３・・・分離部
１０４・・・デコーダ部
１０５・・・ディスプレイ
１０６・・・ＣＰＵ
１０７・・・メモリ部
１０８・・・通信部
１０９・・・入力キー
１１０・・・キーイルミネーション部
１１１・・・インターネット
２０１・・・メニュー選択対象
３０１・・・メニュー表示時間判定
３０２・・・メニュー表示判定
３０３・・・メニュー画面表示
３０４・・・キーイルミネーション点灯
３０５・・・所定時間経過判定
３０６・・・入力許可キー押下判定
３０７・・・メニュー選択判定
３０８・・・メニュー選択以外の処理
３０９・・・選択項目情報の送信
３１０・・・メニュー画面消去
４０１・・・色分けキー
５０１・・・ＬＥＤ
５０２・・・遮光板
６０１、６０２・・・ＬＥＤ
６０３・・・遮光板
【図１】
2005341333.tif 000003
【図２】
2005341333.tif 000004
【図３】
2005341333.tif 000005
【図４】
2005341333.tif 000006
【図５】
2005341333.tif 000007
【図６】
2005341333.tif 000008